(57)【要約】  オーディオ復号化および読み出しシステムは、計算モジュール(1)、高忠実度モジュール(2)、および計算モジュールと高忠実度モジュールとの間にあるバッファメモリアセンブリ(3b)を備える。バッファメモリアセンブリは、計算モジュールによって高忠実度モジュールに伝送されるデジタルオーディオストリームのスライドセグメントを記憶することを目的とする。この仕方では、高忠実度モジュールのデジタル/アナログ変換器(22)による前記デジタルオーディオストリームの処理の速度は、計算モジュールによる前記デジタルオーディオストリームの作成の速度に無関係とすることができる。音響放射品質の改善は、この分離に起因する。
2019529967.tif 000002
【特許請求の範囲】
【請求項１】
-  外部ソースからオーディオファイルを受け取るまたは計算モジュールに接続される記録媒体からオーディオファイルを読み出すステップであって、前記オーディオファイルは、コンピュータ処理を前記オーディオファイルに適用し、前記オーディオファイルに含有されるデータについて動作を行うのに適している、コンピュータ処理フォーマットと呼ばれるファイルフォーマットに従って符号化される、ステップ、
前記コンピュータ処理フォーマットで受け取られるまたは読み出される少なくとも1つのオーディオファイルから、デジタルオーディオストリームフォーマットに従う少なくとも1つのデジタルオーディオストリームを発生させるステップ、および
前記システムの動作シーケンスのシステム設定またはステップを決定する、ユーザインターフェースを用いて入力される使用コマンドを受け取るステップに適している、計算モジュール(1)と、
-  デジタル/アナログ変換器(22)を備え、前記デジタルオーディオストリームからアナログ音響放射信号を作成するのに適し、さらに、前記使用コマンドのいくつかを実行するように適合される、高忠実度モジュール(2)とを備えるオーディオ復号化および読み出しシステムであって、
前記システムは、さらに、
-  前記計算モジュール(1)によって作成される前記デジタルオーディオストリームの少なくとも1つのセグメントを記憶するために配置されるバッファメモリアセンブリ(3b)と、
-  前記計算モジュール(1)によって作成される前記デジタルオーディオストリームを受け取り、前記デジタルオーディオストリームを前記バッファメモリアセンブリ(3b)に書き込むために配置される書き込みアセンブリ(3a)と、
-  前記バッファメモリアセンブリ(3b)から前記デジタルオーディオストリームを読み出し、そのように読み出された前記デジタルオーディオストリームを前記デジタル/アナログ変換器(22)に伝送するために配置される読み出しアセンブリ(3c)とを備えること、および
前記読み出しアセンブリ(3c)がさらに、読み出しの瞬間的転送レートが、書き込みの瞬間的転送レートとは無関係であるように、前記バッファメモリアセンブリ(3b)への前記書き込みアセンブリ(3a)による前記デジタルオーディオストリームのデータの前記書き込みと、前記バッファメモリアセンブリからの前記デジタルオーディオストリームの前記データのその後の前記読み出しとの間の可変遅延を可能にするように適合されることを特徴とする、オーディオ復号化および読み出しシステム。
【請求項２】
前記バッファメモリアセンブリ(3b)からの前記デジタルオーディオストリームの前記読み出しの前記瞬間的転送レートが、前記デジタル/アナログ変換器(22)に前記デジタルオーディオストリームを供給するための基準、または前記音響放射に関連する基準に従って、前記高忠実度モジュール(2)内で内部的に制御されるように適合される、請求項1に記載のシステム。
【請求項３】
前記バッファメモリアセンブリ(3b)内で書き込まれ、次いで読み出されるような、前記デジタルオーディオストリームの前記フォーマットは、前記アナログ音響放射信号を作成するために、デジタルフォーマットからアナログフォーマットへの変換を行うための前記高忠実度モジュール(2)内の前記デジタル/アナログ変換器(22)によって使用される、請求項1または2に記載のシステム。
【請求項４】
前記バッファメモリアセンブリ(3b)は、循環バッファタイプであり、または前記バッファメモリアセンブリ(3b)は、メモリの2つのブロックを備え、それらは、別個であり、書き込み動作が、前記ブロックの片方において実行され、読み出し動作が、1つの同じ時間周期中にもう一方のブロックにおいて実行され、次いで前記ブロックが、その後の時間周期中に前記読み出しおよび書き込み動作について交換されるように制御される、請求項1から3のいずれか一項に記載のシステム。
【請求項５】
前記バッファメモリアセンブリ(3b)は、1秒よりも大きい、好ましくは5秒よりも大きい、またはさらに10秒よりも大きい継続時間の音響放射に対応するデジタルオーディオストリームセグメントを記憶するのに十分な容量を有する、請求項1から4のいずれか一項に記載のシステム。
【請求項６】
前記オーディオファイルのための前記コンピュータ処理フォーマットは、次のフォーマット、すなわちWAV、AIFF、FLAC、WavPack、Apple Lossless、AAC、MP3、Ogg Vorbis、WMA、Monkey's Audio APE、DTS、そのバージョンDolby TrueHD、Dolby Atmosを含むDolby DigitalまたはAC-3、DTS:X、MQA、DFS、DSDIFF、SACD、およびDVD-Audioの1つである、請求項1から5のいずれか一項に記載のシステム。
【請求項７】
前記バッファメモリアセンブリ(3b)および前記デジタル/アナログ変換器(22)は、前記計算モジュール(1)が少なくとも部分的に実装される第1の回路基板と無関係であり、
前記計算モジュール(1)の出力は、前記デジタルオーディオストリームを伝送するためのリンク(4)によって前記書き込みアセンブリ(3a)の入力に接続され、
前記システムはさらに、前記使用コマンドの少なくともいくつかを前記高忠実度モジュール(2)に伝送するための手段を備える、請求項1から6のいずれか一項に記載のシステム。
【請求項８】
前記バッファメモリアセンブリ(3b)および前記デジタル/アナログ変換器(22)は、前記第1の回路基板から分離し、かつ前記バッファメモリアセンブリおよび前記デジタル/アナログ変換器によって共有される第2の回路基板に少なくとも部分的に実装される、請求項7に記載のシステム。
【請求項９】
前記バッファメモリアセンブリ(3b)および前記デジタル/アナログ変換器(22)は、電磁遮蔽筐体(20)に含有され、前記計算モジュール(1)は、前記筐体の外側に位置する、請求項1から8のいずれか一項に記載のシステム。
【請求項１０】
前記計算モジュール(1)から分離されながら、前記読み出しアセンブリ(3c)および前記デジタル/アナログ変換器(22)に専用の少なくとも1つの電力供給ユニット(21)、ならびに前記計算モジュールに専用の別の電力供給ユニット(11)をさらに備える、請求項1から9のいずれか一項に記載のシステム。
【請求項１１】
前記高忠実度モジュール(2)はさらに、前記高忠実度モジュールによる前記デジタルオーディオストリームの処理の状態についての情報、オーディオサンプリング周波数の変化の受け取り確認メッセージ、オーディオサンプリング深さの変化の受け取り確認メッセージ、前記デジタルオーディオストリームの変調フォーマットまたは符号化フォーマットの変化の受け取り確認メッセージ、前記デジタルオーディオストリームの次の部分を書き込むために前記バッファメモリアセンブリ(3b)内で利用できるスペースを示すメッセージ、使用コマンドの受け取り確認メッセージ、および使用コマンドの実行の状態についての情報の少なくとも1つを前記計算モジュール(1)に伝送するために適合される、請求項1から10のいずれか一項に記載のシステム。
【請求項１２】
ビデオ復号化および読み出しシステムに結合され、前記高忠実度モジュール(2)はさらに、前記計算モジュール(1)に、前記高忠実度モジュールによる前記デジタルオーディオストリームの前記処理の前記状態についての情報を伝送するために適合され、前記オーディオ復号化および読み出しシステムならびに前記ビデオ復号化および読み出しシステムのうちの少なくとも1つは、前記アナログ音響放射信号から作成される前記音響放射と、前記ビデオ復号化および読み出しシステムによって作成されるビデオディスプレイデータから表示されるイメージとの間の同期を調整するために適合される、請求項11に記載のオーディオ復号化および読み出しシステム。
【発明の詳細な説明】
【技術分野】
【０００１】
本発明は、オーディオ復号化および読み出しシステムに関する。
【背景技術】
【０００２】
そのようなシステムは通常、
-  外部ソースからオーディオファイルを受け取るまたは計算モジュールに接続される記録媒体からオーディオファイルを読み出すステップであって、オーディオファイルは、コンピュータ処理をそれらに適用し、これらのオーディオファイルに含有されるデータについて動作を行うのに適している、コンピュータ処理フォーマットと呼ばれるファイルフォーマットに従って符号化されている、ステップ、
コンピュータ処理フォーマットで受け取られるまたは読み出される少なくとも1つのオーディオファイルから、デジタルオーディオストリームフォーマットに従う少なくとも1つのデジタルオーディオストリームを発生させるステップ、および
システムの動作シーケンスのシステム設定またはステップを決定する、ユーザインターフェースを用いて入力される使用コマンド(use command)を受け取るステップに適している、計算モジュールと、
-  デジタル/アナログ変換器を備え、デジタルオーディオストリームからアナログ音響放射信号を作成するのに適している高忠実度(ハイファイ)モジュールであって、この高忠実度モジュールはさらに、使用コマンドのいくつかを実行するように適合される、高忠実度モジュールとを備える。
【０００３】
従来技術から知られているこのタイプのシステムでは、計算モジュールは実際には、高忠実度モジュールを制御するマイクロコンピュータのこともある。デジタルオーディオストリームは、計算モジュールによって高忠実度モジュールに小さいデータパケットの伝送を用いる同期リンクかまたは非同期リンクによって伝送される。同期リンクの使用はそれ故に、例えばS/PDIF、I2S、AES/EBUなどの標準の1つに従っていることもあるが、しかし一般に、同期リンクは、伝送されるデータストリームについてレート変動を有する。「ジッタ」と呼ばれる、これらのレート変動は、計算モジュールのクロック周期性における変動に起因することもあるが、しかしまた伝送されるデータにおける値の変化を検出するために使用される基準電圧における変動に起因することもある。実際、そのような基準電圧は、供給電圧から得られ、それは、特に電力を消費するいくつかのモジュールが、同じ電力供給ユニットによって並列に供給されるとき、ランダム電力引き出しによってそれ自体変化することもある。
【０００４】
非同期リンク、例えばUSBオーディオが、計算モジュールと高忠実度モジュールとの間に使用されるとき、個々でも同様に同期タイプである追加のリンクはその時、モジュールのUSBインターフェースとデジタル/アナログ変換器との間で高忠実度モジュールにおいて使用される。同期リンクにおけるレート変動の不都合は、従ってなお存在する。
【０００５】
計算モジュールとデジタル/アナログ変換器との間での、デジタルオーディオストリームの伝送レートにおける不規則は、増幅器に、次いでスピーカに送られるアナログ音響放射信号を劣化させる。ユーザによって知覚されるような音響品質はそれ故に、劣化する。
【０００６】
ユーザによって知覚される音響品質の劣化の別の原因は、計算モジュールと高忠実度モジュールとの間の伝送リンクによって拾い上げられる電磁干渉の存在である。この現象は、一般にアンテナ効果と呼ばれ、また高忠実度モジュール内またはそれの下流で起こることもある。
【０００７】
上で述べられたストリームの伝送レート変動およびアンテナ効果を低減する既存の回路がある。そのような回路は、デジタルオーディオストリームを計算モジュールから伝送するリンクとデジタル/アナログ変換器との間で、オーディオ復号化および読み出しシステムの高忠実度モジュールに組み込まれる。しかしながら、そのような追加の回路は、複雑でかつ高価である。加えて、それらは、追加の電気の消費を必要とし、従って次に高忠実度モジュール内に電磁干渉および電圧変動を引き起こす可能性が高い。
【発明の概要】
【発明が解決しようとする課題】
【０００８】
この状況を考察すると、本発明の目的は、上記の不都合を有さないオーディオ復号化および読み出しシステムのための新しいアーキテクチャを提供することである。特に、本発明は、その複雑さまたはその価格を大幅に増加させることなく、オーディオ復号化および読み出しシステムによって提供することができる音響品質を改善することを目指す。
【課題を解決するための手段】
【０００９】
このまたは他の目的を達成するために、本発明は、上で述べられたような計算モジュールおよび高忠実度モジュールを備えるオーディオ復号化および読み出しシステムを提供するが、しかしそれはさらに、
-  計算モジュールによって作成されるデジタルオーディオストリームの少なくとも1つのセグメントを記憶するために配置されるバッファメモリアセンブリと、
-  計算モジュールによって作成されるデジタルオーディオストリームを受け取り、このデジタルオーディオストリームをバッファメモリアセンブリに書き込むために配置される書き込みアセンブリと、
-  バッファメモリアセンブリからデジタルオーディオストリームを読み出し、そのように読み出されたデジタルオーディオストリームをデジタル/アナログ変換器に伝送するために配置される読み出しアセンブリとを備える。
【００１０】
本発明のさらなる特徴によると、読み出しアセンブリはさらに、読み出しの瞬間的転送レートが、書き込みの瞬間的転送レートとは無関係であるように、バッファメモリアセンブルへの書き込みアセンブリによるデジタルオーディオストリームのデータの書き込みと、バッファメモリアセンブリからのデジタルオーディオストリームの同じデータのその後の読み出しとの間の可変遅延を可能にするように適合される。
【００１１】
本発明によって導入されるバッファメモリアセンブリはそれ故に、高忠実度モジュールを目的とするデジタルオーディオストリームが読み出される速度を、このデジタルオーディオストリームが前にバッファメモリアセンブリに記憶された速度から分離することを可能にする。それ故に、特に計算モジュールとバッファメモリアセンブリにデータを記憶することに専念する書き込みアセンブリとの間の伝送レートの変動に起因する、書き込み速度の変動は、バッファメモリアセンブリ内に各瞬間に含有される可変長のデジタルオーディオストリームセグメントによって吸収される。デジタルオーディオストリームがバッファメモリアセンブリから読み出される速度はその結果、計算モジュールからの伝送におけるレート変動および電磁干渉を受けることなく、高忠実度モジュールによって駆動することができる。読み出し速度およびデジタル/アナログ変換器がデジタルオーディオストリームを供給されるレートはそれ故に、はるかにより大きい規則性を有することができる。そのようなオーディオ復号化および読み出しシステムによって可能にされる音響放射の品質は、それに応じて改善される。
【００１２】
さらに、本発明で使用されるようなバッファメモリアセンブリは、伝送レート変動およびアンテナ効果を低減するための回路よりも安価であり、電力消費がより少ない。加えて、バッファメモリ、読み出しおよび書き込みアセンブリは、電磁干渉の発生がより少なく、また電力供給ユニットからのより少ないランダム電力引き出しももたらす。
【００１３】
本発明によって導入されるバッファメモリアセンブリは、高忠実度モジュールに含まれてもよいが、しかしこれは、必ずしも必要ではない。特に、それは、計算モジュールから生じるデジタルオーディオ信号を伝送するためのリンクと、高忠実度モジュールの入力との間にある、別個の追加のモジュールであってもよい。
【００１４】
その上、オーディオ復号化および読み出しシステムの使用コマンドを入力するために使用されるユーザインターフェースは、必ずしもシステムそれ自体の一部ではない。実際、それは、外部インターフェース、特に伝送ネットワークによってオーディオ復号化および読み出しシステムに接続されるユニバーサルリモコン装置(remote control)または入力端末などの多目的インターフェースであってもよい。特に、それは、ワイファイまたはブルートゥース(登録商標)によってオーディオ復号化および読み出しシステムに接続されるタブレットコンピュータであってもよい。
【００１５】
好ましくは、本発明のオーディオ復号化および読み出しシステムはさらに、バッファメモリアセンブリ内のデジタルオーディオストリームの読み出しの瞬間的転送レートが、デジタル/アナログ変換器にこのデジタルオーディオストリームを供給するための基準、または音響放射に関連する基準に従って、高忠実度モジュール内で内部的に制御されるように適合されてもよい。
【００１６】
好ましくはまた、バッファメモリアセンブリ内で書き込まれ、次いで読み出されるような、デジタルオーディオストリームのフォーマットは、アナログ音響放射信号を作成するために、デジタルフォーマットからアナログフォーマットへの変換を行うための高忠実度モジュール内のデジタル/アナログ変換器によって使用されるフォーマットであってもよい。
【００１７】
特に、このストリームの処理に可変遅延を引き起こす可能性が高い、かつ/または達成するのが負担ということになり、かつ/もしくは寄生干渉および使用される基準電圧の変動をそれ自体引き起こすということになる、デジタルオーディオストリームへの変換動作が、デジタルオーディオストリームがバッファメモリアセンブリから読み出された後に実行されないということは、有利である。音響放射信号のサンプリング周波数を変えること、またはオーディオ変調のタイプを例えばパルス符号変調(PCM)からダイレクトストリームデジタル(DSD)にもしくはその逆に変えることなどの、デジタルオーディオストリームへのそのような変換動作は従って、計算モジュールにおいて有利に実行される。
【００１８】
本発明のある実施形態では、バッファメモリアセンブリは、循環バッファタイプであってもよい。他の実施形態では、それは、メモリの2つのブロックを備えてもよく、それらは、別個であり、書き込み動作が、ブロックの片方において実行され、読み出し動作が、1つの同じ時間周期中にもう一方のブロックにおいて実行され、次いでブロックが、その後の時間周期中に読み出しおよび書き込み動作について交換されるように制御される。
【００１９】
好ましくは、バッファメモリアセンブリは、1秒よりも大きい、好ましくは5秒よりも大きい、またはさらに10秒よりも大きい継続時間の音響放射に対応するデジタルオーディオストリームセグメントを記憶するのに十分な容量を有してもよい。
【００２０】
オーディオファイルのためのコンピュータ処理フォーマットは、次のフォーマット、すなわちWAV、AIFF、FLAC、WavPack、Apple Lossless、AAC、MP3、Ogg Vorbis、WMA、Monkey's Audio APE、その連続するバージョンを含むDTS、Dolby TrueHD、Dolby Atmosなどのその連続するバージョンを含むDolby DigitalまたはAC-3、DTS:X、MQA、DFS、DSDIFF、SACD、およびDVD-Audioの1つであってもよい。
【００２１】
計算モジュールと高忠実度モジュールとの間の寄生干渉を低減することを目的とする本発明の第1の改善では、バッファメモリアセンブリおよびデジタル/アナログ変換器は、計算モジュールが少なくとも部分的に実装される第1の回路基板と無関係であってもよい。この場合、計算モジュールの出力は、デジタルオーディオストリームを伝送するためのリンクによって書き込みアセンブリの入力に接続される。本システムはまた、使用コマンドの少なくともいくつかを高忠実度モジュールに伝送するための手段も備える。好ましくはそのような改善のために、バッファメモリアセンブリおよびデジタル/アナログ変換器は、第1の回路基板から分離し、かつバッファメモリアセンブリおよびデジタル/アナログ変換器によって共有される第2の回路基板内に少なくとも部分的に実装されてもよい。
【００２２】
また計算モジュールと高忠実度モジュールとの間の寄生干渉を低減することも目的とする本発明の第2の改善では、バッファメモリアセンブリおよびデジタル/アナログ変換器は、電磁遮蔽筐体に含有されてもよい。計算モジュールはその時、この筐体の外側に位置する。
【００２３】
モジュールへの電力供給にわたって起こることもあるクロストークを低減することを目的とする本発明の第3の改善では、本システムは、計算モジュールから分離されながら、読み出しアセンブリおよびデジタル/アナログ変換器に専用の少なくとも1つの電力供給ユニット、ならびに計算モジュールに専用の別の電力供給ユニットをさらに備えてもよい。
【００２４】
さらに、一般に本発明について、高忠実度モジュールはさらに、この高忠実度モジュールによるデジタルオーディオストリームの処理の状態についての情報、オーディオサンプリング周波数の変化の受け取り確認メッセージ、オーディオサンプリング深さの変化の受け取り確認メッセージ、デジタルオーディオストリームの変調フォーマットの変化または符号化フォーマットの変化の受け取り確認メッセージ、デジタルオーディオストリームの次の部分を書き込むためにバッファメモリアセンブリ内で利用できるスペースを示すメッセージ、使用コマンドの受け取り確認メッセージ、および使用コマンドの実行の状態についての情報の少なくとも1つを計算モジュールに伝送するために適合されてもよい。この場合、本発明のオーディオ復号化および読み出しシステムは、ビデオ復号化および読み出しシステムに結合されてもよい。高忠実度モジュールはその時、特に計算モジュールに、高忠実度モジュールによるデジタルオーディオストリームの処理の状態についての情報を伝送するために適合される。その結果、オーディオ復号化および読み出しシステムならびにビデオ復号化および読み出しシステムのうちの少なくとも1つは、アナログ音響放射信号から作成される音響放射と、ビデオ復号化および読み出しシステムによって作成されるビデオディスプレイデータから表示されるイメージとの間の同期を調整するために適合されてもよい。
【００２５】
本発明の他の特徴および利点は、次に来る添付の図面を参照して、限定されない例示的実施形態の以下の記述から明らかになることになる。
【図面の簡単な説明】
【００２６】
【図１】本発明によるオーディオ復号化および読み出しシステムの全体的な図である。
【発明を実施するための形態】
【００２７】
当業者に知られており、本発明に直接関係していない、オーディオ復号化および読み出しシステムのモジュールおよびコンポーネントは、下記において表されずまたは述べられない。しかしながら、そのようなモジュールおよびコンポーネントが、今から述べられる本発明の実施形態に含まれることは、理解される。これはまた、本発明によって変更されることなく使用されるシステムの数値およびパラメータについても当てはまる。
【００２８】
参照番号1および2はそれぞれ、計算モジュールおよび高忠実度モジュールを表す。それは、本発明ではオプションであるけれども、モジュール1および2は、ALIMと表される、2つの別個の電力供給ユニットから電力を供給され、計算モジュール1についてはユニット11および高忠実度モジュール2についてはユニット21である。加えて、モジュール1および2がそれぞれ、他のモジュールの基板から分離する回路基板または複数基板に実装されるとき、各モジュール1および2は、このモジュールに専用の筐体内に封入されてもよく、その筐体は、干渉する電磁放射に対して絶縁する。計算モジュール1はそれ故に、筐体10内に収容されてもよく、高忠実度モジュール2は、別個の筐体20内に収容されてもよい。
【００２９】
計算モジュール1は、局所記憶媒体または伝送ネットワークによって計算モジュールに接続される遠隔ソースなどの複数ソースから、コンピュータ処理フォーマットで符号化されるオーディオファイルを受け取ることができる。計算ユニット1によって受け取られまたは読み出されるオーディオファイルのフォーマットは、WAV、AIFF、FLAC、WavPack、Apple Lossless、AAC、MP3、Ogg Vorbis、WMA、Monkey's Audio APE、その連続するバージョンを含むDTS、Dolby TrueHD、Dolby Atmosなどのその連続するバージョンを含むDolby DigitalまたはAC-3、DTS:X、MQA、DFS、DSDIFF、SACD、およびDVD-Audioであってもよく、これらは、限定されず、本記述の一般的な部分におけるオーディオファイルのためのコンピュータ処理フォーマットと呼ばれる。計算モジュール1は、作成すべき音響信号にデジタルフォーマットで対応するデジタルオーディオストリームを作成するために、当業者に知られている処理をこの(これらの)オーディオファイルに適用する。計算モジュール1によって行われるこの処理は、オーディオサンプリング周波数と呼ばれる、音響放射信号のサンプリング周波数の変換、および/またはこのサンプリングの深さの変換、もしくはさらにデジタルオーディオストリームの変調フォーマットの変換を含んでもよい。サンプリング深さは、音響放射信号の振幅のデジタル化のレベルを構成するビットの数を指す。コンピュータ処理フォーマットのオーディオファイルまたはデジタルオーディオストリームについて計算モジュール1によって実行されてもよい処理の他の例は、増幅器およびスピーカ、ならびにリスニングルームの音響特性を含む、下流の再生システムの影響を潜在的に考慮しながら、リスナによって知覚されるような音響放射信号を改善するために、イコライザによって適用されるような音響補正フィルタリング、畳み込みフィルタリングおよび他のフィルタリングである。
【００３０】
加えて、計算モジュール1は、システムの所望の動作に関係する、使用コマンドと呼ばれるコマンド、すなわちオンにする、オフにする、一時停止するためのコマンド、楽曲を選択する、再生位置を変えるためのコマンド、音響レベルを調整するためのコマンド、その他をユーザから受け取る。これらのコマンドは、ユーザによってユーザインターフェースを介して入力されてもよく、そのユーザインターフェースは、キーボードまたは入力表などの、オーディオ復号化および読み出しシステムに専用であってもよく、またはタブレットコンピュータなどの多目的入力端末であってもよい。楽曲を選択するまたはスケジューリングするためのコマンドなどの、使用コマンドのいくつかは、計算モジュール1を目的としてもよく、一方、音響レベルを調整するための制御などの、他の使用コマンドは、高忠実度モジュール2を目的としてもよい。他のコマンドは、計算モジュール1および高忠実度モジュール2の両方に関係してもよい。
【００３１】
知られている仕方では、ハイファイモジュールとも呼ばれる、高忠実度モジュール2は、デジタルオーディオストリームをアナログ音響放射信号に変換する、CNAと表されるデジタル/アナログ変換器22を備える。このアナログ音響放射信号は、音響放射を作成するために、次いで増幅器に、次いで1つまたは複数のスピーカに送られる。それは、図示されないけれども、高忠実度モジュール2は、いくつかの並列オーディオチャンネル(ステレオシステムの場合はいくつかの別個のチャンネル、バスチャンネル・・・)を有してもよく、各チャンネルは、それ自身のデジタル/アナログ変換器を有する。
【００３２】
同期または非同期であってもよい、伝送リンク4は、デジタルオーディオストリームを計算モジュール1の出力から高忠実度モジュール2に伝送する。
【００３３】
本発明によると、中間記憶ユニット3は、計算モジュール1とデジタル/アナログ変換器22との間のデジタルオーディオストリーム伝送経路に挿入される。おそらくは、しかし必ずしもではなく、この中間記憶ユニット3は、高忠実度モジュール2に含まれてもよい。それは、その入力に書き込みアセンブリ3aを有し、それは、このストリームが、伝送リンク4を介してコンピュータユニット1によって伝送されるとき、デジタルオーディオストリームをバッファメモリアセンブリ3bに書き込むことを目的とする。同時に、中間記憶ユニット3は、読み出しアセンブリ3cを備え、それは、このストリームが、デジタル/アナログ変換器22によって処理されるとき、バッファメモリアセンブリ3b内のデジタルオーディオストリームを読み出すことを目的とする。それ故に、高忠実度モジュール2は、書き込みアセンブリ3aが計算ユニット1によって供給されるレートとは無関係に、アナログ音響放射信号へのデジタルオーディオストリームの変換レートを制御することができる。書き込みアセンブリ3aおよび読み出しアセンブリ3cの動作は、独立しており、デジタルオーディオストリームのスライドセグメントはいつもバッファメモリアセンブリ3b内に存在する。このデジタルオーディオストリームセグメントは、それが本質的に、コンピュータユニット1からのストリームの受け取りの瞬間的速度、およびデジタル/アナログ変換器22による同じストリームの処理の瞬間的速度によって変化するように、制限されないまたは最小の制限がある瞬間的長さを有する。言い換えれば、計算ユニット1から来るデジタルオーディオストリームの受け取りの瞬間的速度は、デジタル/アナログ変換器22の処理の瞬間的速度に非常に少ししかまたは全く影響を与えない。後者の速度はその時、デジタル/アナログ変換器22の名目レートに従って、または音響放射の名目速度を再生するように、高忠実度モジュール2によって制御されてもよい。このために、バッファメモリアセンブリ3bの容量は好ましくは、全楽曲中に起こることもあり得る瞬間的読み出し速度と瞬間的書き込み速度との間の蓄積差を含有するのに十分である。例えば、バッファメモリアセンブリ3bの容量は、1つの楽曲の1秒、または5秒もしくはさらに10秒を含有するサイズとすることができる。
【００３４】
同時の書き込みおよび読み出しを可能にするために、中間記憶ユニット3は、それぞれ循環バッファタイプである1つまたは複数のモジュールを備えてもよい。別法として、バッファメモリアセンブリ3bは、メモリの2つの独立したブロックを備えてもよく、それらは、交互に片方が排他的に書き込みに使用され、もう一方が排他的に読み出しに使用され、次いで書き込みおよび読み出しのための使用は、メモリの2つのブロック間で交換され、これは、同じ音響放射部分を復号化し、読み出すシーケンス全体にわたって繰り返しまたは周期的に起こる。中間記憶ユニット3に使用される構造に応じて、書き込みアセンブリ3aは、1つまたは複数の書き込みユニットを備えてもよく、読み出しアセンブリ3cは、1つまたは複数の読み出しユニットを備えてもよい。デジタルオーディオストリームが、読み出しと書き込みとの間で等しいまたは異なる、任意の長さを有することができる連続するブロックの形で、書き込みアセンブリ3aおよび読み出しアセンブリ3cによってそれぞれバッファメモリアセンブリ3bにおいて書き込まれ、読み出されることもまた可能である。可能性のあるブロック長は、例えば書き込みについて2または3キロバイトであり、読み出しは、サンプリング深さに応じて1、16、または24ビットのブロックを用いて実行されてもよい。いったん読み出しが生じたら、記憶スペースの解放に関連する書き込みアドレスと読み出しアドレスとの間での調整を含む、そのような中間記憶ユニットの使用は、当業者には知られていると思われ、ここでは繰り返されない。
【００３５】
図における参照番号5は、計算モジュール1と高忠実度モジュール2との間の動作データの双方向伝送を示す。計算モジュール1から高忠実度モジュール2への方向では、これらの動作データは、すでに上で述べられた使用コマンド、ならびにデジタルオーディオストリームに適用されるサンプリングレートの変化、サンプリング深さおよび/または変調フォーマットの変化に関係する情報メッセージを含む。高忠実度モジュール2から計算モジュール1への、反対方向での伝送については、伝送される動作データは、高忠実度モジュール2によって、またはより具体的には変換器22によってデジタルオーディオストリームを処理する状態についての情報、前に計算モジュール1によって高忠実度モジュール2に指定されたサンプリング周波数、サンプリング深さ、および/または変調フォーマットの変化の受け取り確認メッセージ、バッファメモリアセンブリ3b内で利用できるスペースを示すメッセージ、潜在的に伝送リンク4によるデジタルオーディオストリームの次の部分の伝送速度への調整を制御するためのメッセージ、前に計算モジュール1によって高忠実度モジュール2に伝送された使用コマンドの受け取り確認メッセージ、使用コマンドの実行の状態に関係する情報、その他を含んでもよい。
【００３６】
今しがた述べられたオーディオ復号化および読み出しシステムが、オーディオおよびビデオ復号化および読み出しデバイスのオーディオ部分を構成することは可能である。そのような組み合わせデバイスはそれ故に、普通ビデオチャンネルと呼ばれる、ビデオ処理およびディスプレイチェーンをさらに含む。そのようなビデオチャンネルそれ自体は、ディスプレイシステムに連続して表示すべきイメージのストリームを供給するためにビデオ復号化および読み出しシステムを備える。計算モジュール1の一部はその時、特にオーディオ/ビデオファイルの受け取りおよび使用コマンドの受け取りのために、ビデオチャンネルと共有されてもよい。その結果、伝送5はまた、互いに対して音響放射およびビデオ表示の進展を制御するための同期タグまたはメッセージの双方向伝送に使用されてもよい。
【００３７】
本発明は、今しがた詳細に述べられた実施形態の二次的態様を変更しながら、再現されてもよいことが、理解される。特に、別個の回路基板への、および/または別個の筐体への、かつ/または別個である電力供給ユニットを有する、計算モジュールおよび高忠実度モジュールの分離は、有利であるが、しかしオプションの改善である。またオプションとして、書き込みおよび読み出しアセンブリならびにデジタル/アナログ変換器は、2つの別個の電力供給ユニットによって供給されてもよい。
【符号の説明】
【００３８】
1  計算モジュール、計算ユニット、コンピュータユニット
2  高忠実度モジュール、ハイファイモジュール
3  中間記憶ユニット
3a  書き込みアセンブリ
3b  バッファメモリアセンブリ
3c  読み出しアセンブリ
4  伝送リンク
5  双方向伝送
10  筐体
11  電力供給ユニット
20  筐体
21  電力供給ユニット
22  デジタル/アナログ変換器
【図１】
2019529967.tif 000003
【国際調査報告】
2019529967.tif 000004
2019529967.tif 000005
2019529967.tif 000006
2019529967.tif 000007
2019529967.tif 000008
2019529967.tif 000009